(57)【要約】      （修正有）【課題】多層階床の床暖房を行うにあたり、熱効率の向上を図ることができる建物構造を提供する。【解決手段】多層階の建物としてのユニット建物の２階の床部２０と１階の天井部５０との間に設けられ、２階の床上空間４２に対して閉じられ、放熱体により暖房される２階の床下空間５２と、２階の床上空間４２の外周に立設され、内部に壁内空間７７ａを有する外壁ＷＬと、２階の床下空間５２と壁内空間７７ａとを区画して、２階の床下空間５２の端縁部に敷き詰められた気密性を有したシート状の外壁気密フィルム１５１と、を備える建物構造とした。【選択図】図５Ａ
2019120038.tif 000002
【特許請求の範囲】
【請求項１】
２階以上の多層階の建物の上層階の床部と下層階の天井部との間に設けられ、前記上層階の床上空間に対して閉じられ、放熱体により暖房される床下空間と、
前記床上空間の外周に立設され、内部に壁内空間を有する外壁と、
前記床下空間と前記外壁の前記壁内空間とを区画して前記床下空間の端縁部に敷き詰められた気密性を有したシート状の第１の気密フィルムと、
を備え、
前記壁内空間は、前記床部の上面を形成する床材から立設された内壁材と、前記建物ユニットの外側に配置された外壁材と、の間に設けられ、
前記第１の気密フィルムは、水平方向で前記床上空間側に位置する端部が、前記床材と前記内壁材との間に挟まれ、水平方向で前記外部空間側に位置する端部が、前記床梁の上面に接して敷き詰められている建物構造。
【請求項２】
２階以上の多層階の建物の上層階の床部と下層階の天井部との間に設けられ、前記上層階の床上空間に対して閉じられ、放熱体により暖房される床下空間と、
前記床上空間の内部に立設され、内部に壁内空間を有する内壁と、
前記床下空間と前記内壁の前記壁内空間とを区画して前記床下空間の端縁部に敷き詰められた気密性を有したシート状の第２の気密フィルムと、
を備え、
前記床下空間は、前記上下に重なる前記上層階の床梁と前記下層階の天井梁とにより、水平方向に第１の床下空間と第２の床下空間とに区画され、
前記第１の床下空間と前記第２の床下空間とは、前記放熱体により独立して暖房可能であり、
前記内壁により、前記上層階の床上空間が、前記第１の床下空間の上方に位置する第１の床上空間と、前記第２の床下空間の上方に位置する第２の床上空間とに区画され、
前記内壁の前記壁内空間は、前記第１の床上空間の前記床部を形成する第１の床材から立設された第１の内壁材と、前記第２の床上空間の前記床部を形成する第２の床材から立設された第２の床材と前記第２の内壁材との間に形成され、
前記第２の気密フィルムとして、前記第１の床下空間を、前記壁内空間および前記第１の床上空間に対して区画して前記第１の床下空間の端縁部に敷き詰められた第１内壁気密フィルムと、前記第２の床下空間を、前記壁内空間および前記第２の床上空間に対して区画して前記第２の床下空間の端縁部に敷き詰められた第２内壁気密フィルムとを備える建物構造。
【請求項３】
２階以上の多層階の建物の上層階の床部と下層階の天井部との間に設けられ、前記上層階の床上空間に対して閉じられ、放熱体により暖房される床下空間と、
前記上層階の床上空間を、暖房対象の第３の床上空間と非暖房対象の第４の床上空間とに区画する仕切壁と、
を備え、
前記床下空間は、前記上下に重なる前記上層階の床梁と前記下層階の天井梁とにより、前記第３の床上空間の下方に位置して前記放熱体が設置された第３の床下空間と前記第４の床上空間の下方に配置されて前記放熱体が非設置の第４の床下空間とに区画され、
前記第３の床下空間を、前記第３の床上空間、前記第４の床下空間および前記第４の床上空間に対して区画する第３の気密フィルムが前記第３の床下空間の端縁部に敷き詰められている建物構造。
【請求項４】
請求項１または請求項２に記載の建物構造において、
前記壁内空間に、断熱材が充填され、
前記各気密フィルムは、前記断熱材と前記下層階の前記床梁の上面との間に挟まれて設置されている建物構造。
【請求項５】
請求項１〜請求項４のいずれか１項に記載の建物構造において、
前記建物は、４隅に立設された４本の柱と、これらの４本の柱の下端部どうしを結合した４本の床梁と、前記４本の柱の上端部どうしを結合した天井梁とにより、平面形状が方形状の骨組状の建物ユニットを結合して形成され、
前記上層階の前記建物ユニットの前記床梁と、前記下層階の前記建物ユニットの前記天井梁とが上下に重なって前記床下空間の水平方向の端部が形成されている建物構造。
【発明の詳細な説明】
【技術分野】
【０００１】
本開示は、輻射式の床暖房に好適な建物構造に関するものである。
【背景技術】
【０００２】
従来から、建物の２階以上の多層階床の床下空間に薄型の放熱体を設置して、２階以上の多層階でも床暖房を行えるようにした床暖房システムが知られている（例えば、特許文献１参照）。
この従来の床暖房システムは、建物の床下空間において、この床下空間を形成する床材を支持する金属製の床支持材の下部に放熱体が設けられている。
【先行技術文献】
【特許文献】
【０００３】
【特許文献１】特開２０１２−１２２６５６号公報
【発明の概要】
【発明が解決しようとする課題】
【０００４】
上述の従来の床暖房システムでは、上層階において床暖房を可能とするものであるが、さらなる熱効率の向上が望まれていた。
【０００５】
本開示は、上述の問題に着目して成されたもので、多層階床の床暖房を行うにあたり、熱効率の向上を図ることができる建物構造を提供することを目的としている。
【課題を解決するための手段】
【０００６】
前記目的を達成するために、本開示の建物構造は、
２階以上の多層階の建物の上層階の床部と下層階の天井部との間に設けられ、前記上層階の床上空間に対して閉じられ、放熱体により暖房される床下空間と、
前記床上空間の外周に立設され、内部に壁内空間を有する外壁と、
前記床下空間と前記外壁の前記壁内空間とを区画して前記床下空間の端縁部に敷き詰められた気密性を有したシート状の第１の気密フィルムと、
を備え、
前記壁内空間は、前記床部の上面を形成する床材から立設された内壁材と、前記建物ユニットの外側に配置された外壁材と、の間に設けられ、
前記第１の気密フィルムは、水平方向で前記床上空間側に位置する端部が、前記床材と前記内壁材との間に挟まれ、水平方向で前記外部空間側に位置する端部が、前記床梁の上面に接して敷き詰められている建物構造とした。
【０００７】
また、本開示の建物構造は、
２階以上の多層階の建物の上層階の床部と下層階の天井部との間に設けられ、前記上層階の床上空間に対して閉じられ、放熱体により暖房される床下空間と、
前記床上空間の内部に立設され、内部に壁内空間を有する内壁と、
前記床下空間と前記内壁の前記壁内空間とを区画して前記床下空間の端縁部に敷き詰められた気密性を有したシート状の第２の気密フィルムと、
を備え、
前記床下空間は、前記上下に重なる前記上層階の床梁と前記下層階の天井梁とにより、水平方向に第１の床下空間と第２の床下空間とに区画され、
前記内壁により、前記上層階の床上空間が、前記第１の床下空間の上方に位置する第１の床上空間と、前記第２の床下空間の上方に位置する第２の床上空間とに区画され、
前記内壁の前記壁内空間は、前記第１の床上空間の前記床部を形成する第１の床材から立設された第１の内壁材と、前記第２の床上空間の前記床部を形成する第２の床材から立設された第２の床材と前記第２の内壁材との間に形成され、
前記放熱体により前記第１の床下空間と前記第２の床下空間とは、独立して暖房可能であり、
前記第２の気密フィルムとして、前記第１の床下空間を、前記壁内空間および前記第１の床上空間に対して区画して前記第１の床下空間の端縁部に敷き詰められた第１内壁気密フィルムと、前記第２の床下空間を、前記壁内空間および前記第２の床上空間に対して区画して前記第２の床下空間の端縁部に敷き詰められた第２内壁気密フィルムとを備える建物構造とした。
【０００８】
また、本開示の建物構造は、
２階以上の多層階の建物の上層階の床部と下層階の天井部との間に設けられ、前記上層階の床上空間に対して閉じられ、放熱体により暖房される床下空間と、
前記上層階の床上空間を、暖房対象の第３の床上空間と非暖房対象の第４の床上空間とに区画する仕切壁と、
を備え、
前記床下空間は、前記上下に重なる前記上層階の床梁と前記下層階の天井梁とにより、前記第３の床上空間の下方に位置して前記放熱体が設置された第３の床下空間と前記第４の床上空間の下方に配置されて前記放熱体が非設置の第４の床下空間とに区画され、
前記第３の床下空間を、前記第３の床上空間、前記第４の床下空間および前記第４の床上空間に対して区画する第３の気密フィルムが前記第３の床下空間の端縁部に敷き詰められている建物構造とした。
【発明の効果】
【０００９】
本開示の建物構造では、上層階の床下空間および床部を温めて、上層階の床上空間を暖房する際に、上層階の床下空間は、各気密フィルムにより壁内空間や、床上空間や、隣接する非暖房対象の床下空間との気密性が確保される。したがって、床下空間から壁内空間や床上空間や隣接する床下空間に逃げた温調空気が、屋外や隣室などに逃げるのを抑制できる。よって、各気密フィルムを設置しない建物構造と比較して、熱効率を向上することができる。
【図面の簡単な説明】
【００１０】
【図１】本発明の実施の形態１の建物構造を備えたユニット建物の縦断面を示す概略図である。
【図２】実施の形態１の建物構造を備えたユニット建物の床下空間を拡大して示す概略図である。
【図３Ａ】実施の形態１の建物構造を備えたユニット建物に適用した床暖房システムに用いた放熱体を示す断面図である。
【図３Ｂ】実施の形態１の床暖房システムに用いた放熱体を示す分解斜視図である。
【図３Ｃ】実施の形態１の床暖房システムに用いた放熱体の放熱体モジュールの接続状態の説明図である。
【図４】実施の形態１の建物構造を備えたユニット建物を構築するユニット建物の一例を示す斜視図である。
【図５Ａ】実施の形態１の建物構造における外壁部分を示す断面図である。
【図５Ｂ】実施の形態１の建物構造における内壁部分を示す断面図である。
【図５Ｃ】実施の形態１の建物構造における仕切壁部分を示す断面図である。
【発明を実施するための形態】
【００１１】
以下、本発明の実施の形態について図面を参照して説明する。
（実施の形態１）
［ユニット建物の構成］
図１を参照しながら実施の形態１の建物構造を備えたユニット建物Ｈの全体構成について説明する。
【００１２】
図１は、実施の形態１の建物構造を適用したユニット建物Ｈの概略図である。
このユニット建物Ｈは、基礎コンクリートＢの上に、１階の建物ユニット集合体Ｕ１と２階の建物ユニット集合体Ｕ２と３階の建物ユニット集合体Ｕ３とを上下方向に積層して構築されている。なお、各建物ユニット集合体Ｕ１，Ｕ２，Ｕ３は、後述する建物ユニットＵを、水平方向に複数結合して形成されたものである。
【００１３】
ユニット建物Ｈは、上下方向に、１階の床部１０によって床下空間４０と１階の床上空間４１とに区画され、２階の床部２０により、１階の床上空間４１と２階の床上空間４２とに区画され、３階の床部３０により、２階の床上空間４２と３階の床上空間４３とに区画されている。
そして、各床上空間４１，４２，４３は、水平方向の外周部を外壁ＷＬにより、外部空間と区画されている。
【００１４】
また、２階の床部２０には、２階の床部２０と１階の天井部５０とに上下を挟まれた、２階の床下空間５２が形成されている。そして、３階の床部３０には、３階の床部３０と２階の天井部６０とに上下を挟まれた３階の床下空間５３が形成されている。
【００１５】
＜建物ユニットの構造＞
各階の建物ユニット集合体Ｕ１〜Ｕ３を構成する建物ユニットＵの骨格構造を、図４に基づいて簡単に説明する。
この建物ユニットＵの骨格は、４本の柱６１，６１，６１，６１と４本の床梁６２，６２，６２，６２と４本の天井梁６３，６３，６３，６３とが、平面形状が方形状になるように、箱型に組み立てられている。そして、対向して配置された一対の床梁６２，６２に床小梁６５が架け渡され、この床小梁６５の上に床下地６６が取り付けられている。
また、対向して配置されている一対の天井梁６３，６３の下部に天井根太６７が架け渡されている。
【００１６】
［床暖房システムの構成］
ユニット建物Ｈに設置された床暖房システム１００について説明する。
床暖房システム１００は、室外機１１０と、空調部１２０と、床暖房部１３０とを備える。
【００１７】
＜室外機＞
室外機１１０は、熱交換媒体と外気との熱交換を行う、いわゆるヒートポンプ式の熱交換器を備え、本実施の形態１では、この室外機１１０は、空調部１２０の熱交換媒体および床暖房部１３０の熱交換媒体と、外気との熱交換を行う。なお、室外機１１０として、本実施の形態１では、２台を並設している。
【００１８】
＜空調部＞
空調部１２０は、第１室内機１２１および第２室内機１２２を備える。
第１室内機１２１は、床下空間４０に設置されている。そして、第１室内機１２１は、床下空間４０の空気を吸い込んで熱交換媒体との熱交換を行った空気を、床下空間４０と１階の床上空間４１とに選択的に送風可能となっている。
【００１９】
第２室内機１２２は、２階の床上空間４２に設けられた後述する収納空間４２（ｄ）に設置され、２階の床上空間４２の空気を吸い込んで熱交換媒体との熱交換を行った空気を、２階の床上空間４２の第１の居室空間４２（ａ）、第２の居室空間４２（ｂ）、第３の居室空間４２（ｃ）に送風可能となっている。
【００２０】
＜床暖房部＞
床暖房部１３０は、２階の床下空間５２に設置された放熱体１３１と、この放熱体１３１と室外機１１０とで熱媒体としての温水を循環させる温水パイプ１３２とを備える。
すなわち、床暖房部１３０は、室外機１１０において外気と熱交換を行って加熱した温水を、室外機１１０と放熱体１３１との間で循環させるよう構成されている。
なお、放熱体１３１は、第１の放熱体１３１（Ａ）と、第３の放熱体１３１（Ｂ）と、第３の放熱体１３１（Ｃ）とで、それぞれ、独立して熱交換媒体を循環させ放熱可能となっている。なお、床下空間５２は、後述するが第１の放熱体１３１（Ａ）が設置された第１の床下空間５２（ａ）と、第２の放熱体１３１（Ｂ）が設置された第２の床下空間５２（ｂ）と、第３の放熱体１３１（Ｃ）が設置された第３の床下空間５２（ｃ）とで区画されている。
【００２１】
放熱体１３１は、図３Ａ，図３Ｂ，図３Ｃに示すように、矩形のシート状部材である熱伝導シート１３１ａと断熱シート１３１ｂとの間に、放熱管１３１ｃが、波形状に折り返されて配設されて形成されている。なお、熱伝導シート１３１ａとしては、例えば、アルミシートなどの金属系のシートを用いることができ、断熱シート１３１ｂとしては、樹脂製のものや発泡樹脂製のものを用いることができる。
【００２２】
また、放熱管１３１ｃとしては、架橋ポリエチレン製の管を用いることができる。なお、架橋ポリエチレンは、軽量、柔軟性を有する、耐食性に優れる、耐衝撃性に優れる、低温特性に優れる、電気特性に優れる（電気腐食を受けない）、耐応力腐食性に優れる、クリープ性能に優れる、耐薬品性に優れる、耐熱老化性に優れるという性質を有する。
【００２３】
また、放熱体１３１は、図１に示すように、第１の放熱体１３１（Ａ）と第２の放熱体１３１（Ｂ）と第３の放熱体（Ｃ）とに分割されており、それぞれ、独立して室外機１１０から温水が循環可能となっている。
【００２４】
ここで、放熱体１３１が設置された２階の床下空間５２について説明を加える。
詳細には後述するが、２階の床下空間５２は、水平方向で第１の床下空間５２（ａ）と第２の床下空間５２（ｂ）と第３の床下空間５２（ｃ）と第４の床下空間５２（ｄ）とに区画されている。なお、２階の床下空間５２の区画は、図５Ｂ、図５Ｃに示すように、１階の建物ユニットＵの天井梁６３と２階の建物ユニットＵの床梁６２とを上下に重ねることで成されている。
【００２５】
そして、この区画された第１の床下空間５２（ａ）と第２の床下空間５２（ｂ）と第３の床下空間５２（ｃ）とに、第１の放熱体１３１（Ａ）と第２の放熱体１３１（Ｂ）と第３の放熱体（Ｃ）とが独立して設置されている。
【００２６】
また、図１に示すように、第１の床下空間５２（ａ）の上方には、２階の床上空間４２を形成する第１の居室空間４２（ａ）が設けられている。第２の床下空間５２（ｂ）の上方には、２階の床上空間４２を形成する第２の居室空間４２（ｂ）が設けられている。第３の床下空間５２（ｃ）の上方には、２階の床上空間４２を形成する第３の居室空間４２（ｃ）が設けられている。第４の床下空間５２（ｄ）の上方には、２階の床上空間４２を形成する収納空間４２（ｄ）が設けられている。
【００２７】
したがって、第１の床下空間５２（ａ）と第２の床下空間５２（ｂ）と第３の床下空間５２（ｃ）とを、独立して暖房することができる。そして、これにより、第１の居室空間４２（ａ）と第２の居室空間４２（ｂ）と第３の居室空間４２（ｃ）とは、独立して暖房することができる。
また、第４の床下空間５２（ｄ）は、放熱体１３１が非設置であり、収納空間４２（ｄ）は、非暖房対象の空間である。
【００２８】
［床下空間の構造］
放熱体１３１が設置された２階の床下空間５２における気密構造について説明する。
２階の床下空間５２は、前述したように２階の床部２０と１階の天井部５０との間に形成されている。
２階の床部２０は、図２に示すように２階の床下地６６（例えば、パーチクルボード）の上に床材７１が張られて形成されている。なお、床材７１は、板状の床遮音材７１１（図２参照）の上面に床仕上材７１２（図２参照）を敷き詰めて形成されている。
【００２９】
一方、１階の天井部５０は、天井根太６７の下側に石膏ボードなどからなる天井材７２が固定されて形成されている。
そして、１階の天井部５０は、天井根太６７の上に板材７３が敷き詰められており、さらに、この板材７３の上に、断熱材１４０が敷き詰められている。
さらに、断熱材１４０の上に、前述した放熱体１３１が設置され、１階の床上空間４１に熱が逃げないようにしている。なお、断熱材１４０としては、１階の天井部５０における配線などの凹凸があっても、その凹凸形状に追従して変形可能なように、軟質のもの（例えば、グラスウール）を用いている。
【００３０】
［床下空間の気密構造］
外壁ＷＬ部分における２階の床下空間５２の気密構造ついて、図５Ａに基づいて説明する。
図５Ａは、実施の形態１の床暖房システムにおける外壁ＷＬを示す断面図であって、１階の建物ユニットＵと２階の建物ユニットＵとの結合部分を示している。
この図５Ａに示すように、水平方向で床下空間５２は、１階の建物ユニットＵの天井梁６３と、２階の建物ユニットＵの床梁６２とが上下に重なった構造部分により、外壁ＷＬと区画されている。また、上下に重なる天井梁６３と床梁６２との間には、天井梁６３および床梁６２の長手方向の全長に亘ってシール材７８ａが介在されている。
【００３１】
外壁ＷＬは、建物ユニットＵの水平方向における屋内外方向（図５Ａの左右方向）で、床梁６２を挟んで屋外方向側に配置された外壁材７４と、屋内方向側に配置された内壁材７５とを備えている。
なお、外壁材７４は、図示を省略した胴縁などに取り付けられている。また、内壁材７５は、枠材７５ａに取り付けられた石膏ボードなどの板材に、壁紙が貼り付けられている。
【００３２】
また、外壁ＷＬは、水平方向で外壁材７４と内壁材７５との間であって、上下方向で床梁６２と天井梁６３との間に、壁内空間７７ａを備える。そして、２階部分の壁内空間７７ａに、断熱材８１ａが充填され、かつ、１階部分の壁内空間７７ａに、断熱材８１ｂが充填されている。
また、床梁６２および天井梁６３の内側にも、それぞれ、断熱材８１ｃ，８１ｄが充填されている。
これらの断熱材８１ａ〜８１ｄにより、屋内の屋外に対する断熱が図られている。
なお、断熱材８１ａ〜ｄとしては、グラスウールやポリエチレンフォームなどを用いることができる。
【００３３】
さらに、本実施の形態１では、２階の床下空間５２（図５Ａでは第２の床下空間５２（ｂ））の上部と、壁内空間７７ａおよび床上空間４２（図５Ａでは第２の居室空間４２（ｂ））とを遮断するための外壁気密フィルム（第１の気密フィルム）１５１が設けられている。
この外壁気密フィルム１５１は、防湿および気密性を有した薄い帯状のシートであり、例えば、ポリエチレン、ポリプロピレン、ポリエステル、ナイロンなどを素材とするものである。
【００３４】
この外壁気密フィルム１５１は、床下空間５２において外壁ＷＬに隣り合う端縁部に沿って敷き詰められている。詳細には、外壁気密フィルム１５１は、水平方向で床上空間４２側に位置する端縁部が、床材７１の上面と内壁材７５の下端面との間に挟まれ、水平方向で屋外側に位置する端部が、床梁６２の上面および屋外側の側面の上部に接して敷き詰められている。さらに、外壁気密フィルム１５１は、床梁６２の上面に重なる部分は、床梁６２の上面と断熱材８１ａの下面とに挟まれている。
【００３５】
以上のように、２階の床下空間５２は、外壁気密フィルム１５１により、壁内空間７７ａおよび屋外に対して遮断され、かつ、２階の床上空間４２に対して遮断され、気密性が確保されている。
断熱材８１ａとしては、グラスウールのように通気性を有した素材が用いられ、特に下端面は、凹凸を有して床梁６２の上面との密着性に劣るため、外壁気密フィルム１５１による気密性は有効である。
【００３６】
次に、図５Ｂに基づいて、２階の床下空間５２において、２階の床上空間４２および床上空間４２に立設された内壁ＩＷに対する気密構造について説明する。
なお、図５Ｂは、実施の形態１の建物構造における内壁ＩＷの部分を示す断面図である。詳細には、２階の建物ユニット集合体Ｕ２において、第１の居室空間４２（ａ）と第２の居室空間４２（ｂ）との間に立設された内壁ＩＷと、その下方の第１の床下空間５２（ａ）および第２の床下空間５２（ｂ）との気密構造を示す断面図である。
【００３７】
内壁ＩＷは、２階の床上空間４２において、暖房対象となる２つの居室空間４２（ａ），４２（ｂ）を区画して設けられている。この内壁ＩＷは、厚さ方向（図５Ｂの左右方向）の両面に壁面を有するいわゆるダブル壁構造であり、２階の建物ユニット集合体Ｕ２を形成する建物ユニットＵ，Ｕどうしの間に立設されている。
また、２階の内壁ＩＷの真下にも、１階の建物ユニット集合体Ｕ１の建物ユニットＵ，Ｕの間に、内壁ＩＷが立設されている。
【００３８】
この上下の内壁ＩＷ，ＩＷは、各建物ユニットＵの端部に、それぞれ内壁材７６ａ，７６ｂ，７６ｃ，７６ｄが立設され、両内壁材７６ａ，７６ｂの間、および両内壁材７６ｃ，７６ｄの間には、それぞれ、壁内空間７７ｂ，７７ｃが設けられている。そして、各内壁材７６ａ，７６ｂ，７６ｃ，７６ｄの裏面（各居室空間４２（ａ）、４２（ｂ）に面する面を表面とする）が断熱材８２ａに覆われている。
したがって、２階の床上空間４２では、第１の居室空間４２（ａ）と第２の居室空間４２（ｂ）との間で断熱が図られている。同様に、１階の床上空間４１でも、内壁ＷＩにより区画された部屋の間で断熱が図られている。
【００３９】
２階の床下空間５２は、一対の床梁６２および天井梁６３を挟んで第１の居室空間４２（ａ）の下方に位置する第１の床下空間５２（ａ）と、第２の居室空間４２（ｂ）の下方に位置する第２の床下空間５２（ｂ）とに区画されている。また、上下方向で、一対の床梁６２と天井梁６３との間に、床梁６２および天井梁６３の長手方向の全長に亘ってシート状のシール材７８ｂが介在されている。さらに、水平方向で一対の床梁６２，６２の間に、床梁６２の長手方向の全長に亘ってシール材７８ｃが介在されている。
したがって、上下の内壁ＩＷ、ＩＷに設けられた壁内空間７７ｂ，７７ｃは、これらのシール材７８ｂ，７８ｃにより上下に区画されている。
【００４０】
なお、第１の床下空間５２（ａ）に配置された放熱体１３１（Ａ）（図５Ｂでは図示省略）と、第２の床下空間５２（ｂ）に配置された放熱体１３１（Ｂ）（図５Ｂでは図示省略）とは、それぞれ、独立して熱冷媒を供給可能となっている。つまり、第１の床下空間５２（ａ）と第２の床下空間５２（ｂ）とで、独立して暖房し、これにより、第１の居室空間４２（ａ）と第２の居室空間４２（ｂ）とを独立して暖房することが可能となっている。
【００４１】
さらに、２階の第１、第２床下空間５２（ａ），５２（ｂ）の上部と、壁内空間７７ｂおよび各居室空間４２（ａ）、４２（ｂ）とを遮断するための第１内壁気密フィルム（第２の気密フィルム）１５２ａおよび第２内壁気密フィルム（第２の気密フィルム）１５２ｂが設けられている。
両内壁気密フィルム１５２ａ，１５２ｂは、前述の外壁気密フィルム１５１と同様の防湿、気密性を有した薄いシートであり、ポリエチレン、ポリプロピレン、ポリエステル、ナイロンなどを素材とするものである。
【００４２】
ここで、第１内壁気密フィルム１５２ａは、第１の床下空間５２（ａ）を、壁内空間７７ｂおよび第１の居室空間４２（ａ）に対して区画して第１の床下空間５２（ａ）の端縁部に敷き詰められている。
【００４３】
また、第２内壁気密フィルム１５２ｂは、第２の床下空間５２（ｂ）を、壁内空間７７ｂおよび第２の居室空間４２（ｂ）に対して区画して第２の床下空間５２（ｂ）の端縁部に敷き詰められている。
【００４４】
詳細には、第１内壁気密フィルム１５２ａは、水平方向で第１の床上空間４２（ａ）側に位置する端縁部が、第１の居室空間４２（ａ）の床部２０の床材７１ａの上面と、第１の居室空間４２（ａ）に面した内壁材７６ａの下端面との間に挟まれている。
一方、第１内壁気密フィルム１５２ａの水平方向で壁内空間７７ｂ側に位置する端部は、第１の居室空間４２（ａ）を形成する建物ユニットＵの床梁６２の上面に接し、さらに、この床梁６２の側面上部に接して敷き詰められている。また、第１内壁気密フィルム１５２ａの水平方向で壁内空間７７ｂ側に位置する端部は、床梁６２の上面では、その上方に位置する断熱材８２ａの下端部との間に介在されている。
【００４５】
第２内壁気密フィルム１５２ｂは、第１内壁気密フィルム１５２ａと略左右対称に設置されている。すなわち、第２内壁気密フィルム１５２ｂは、水平方向で第２の床上空間４２（ｂ）側に位置する端縁部が、第２の居室空間４２（ｂ）の床部２０の床材７１ｂの上面と、第２の居室空間４２（ｂ）に面した内壁材７６ｂの下端面との間に挟まれている。
一方、第２内壁気密フィルム１５２ｂの水平方向で壁内空間７７ｂ側に位置する端部は、第２の居室空間４２（ｂ）を形成する建物ユニットＵの床梁６２の上面に接し、さらに、この床梁６２の側面上部に接して敷き詰められている。また、第２内壁気密フィルム１５２ｂの水平方向で壁内空間７７ｂ側に位置する端部は、床梁６２の上面では、その上方に位置する断熱材８２ａの下端部との間に介在されている。
【００４６】
以上のように、第１の床下空間５２（ａ）は、第１内壁気密フィルム１５２ａにより、壁内空間７７ｂ、第１の居室空間４２（ａ）および第２の居室空間４２（ｂ）に対して遮断されて気密性が確保されている。
特に、断熱材８２ａとしては、グラスウールのように通気性を有した素材が用いられ、特に下端面は、凹凸を有して床梁６２の上面との密着性に劣るため、外壁気密フィルム１５１による壁内空間７７ｂ、第１の居室空間４２（ａ）および第２の居室空間４２（ｂ）に対する気密性は有効である。
【００４７】
同様に、第２の床下空間５２（ｂ）は、第２内壁気密フィルム１５２ｂにより、壁内空間７７ｂ、第２の居室空間４２（ｂ）および第１の居室空間４２（ａ）に対して遮断されて気密性が確保されている。
【００４８】
次に、図５Ｃに基づいて、暖房対象の第３の床下空間５２（ｃ）における、非暖房対象の第４の床下空間５２（ｄ）およびその上方の非暖房対象の床上空間４２としての収納空間４２（ｄ）に対する気密構造について説明する。
【００４９】
図１に示すように、第３の床下空間５２（ｃ）には放熱体１３１（Ｃ）が設置されているのに対し、これに水平方向に隣接する第４の床下空間５２（ｄ）には放熱体１３１が非設置となっている。床上空間４２において、第４の床下空間５２（ｄ）の上方に位置する部分は、第２室内機１２２およびその配管の設置スペースを含む収納空間４２（ｄ）となっており、これら第４の床下空間５２（ｄ）および収納空間４２（ｄ）は、暖房を行わない非暖房対象の空間としている。
【００５０】
図５Ｃに示すように、第３の床下空間５２（ｃ）と第４の床下空間５２（ｄ）とは、一対の床梁６２，６２および天井梁６３，６３により区画されている。そして、上下方向で一対の床梁６２，６２と天井梁６３，６３との間には、シート状のシール材７８ｄが長手方向の全長に亘って介在されている。なお、暖房対象の第３の床下空間５２（ｃ）に面する床梁６２には、断熱材８３ａが充填されている。
【００５１】
また、２階の床上空間４２が、仕切壁ＰＷにより、第３の床下空間５２（ｃ）の上方に位置して暖房対象となる第３の居室空間４２（ｃ）と、第４の床下空間５２（ｄ）の上方に位置して非暖房対象となる収納空間４２（ｄ）とに区画されている。
そして、仕切壁ＰＷは、第３の床下空間５２（ｃ）を形成する建物ユニットＵの床部２０の床材７１から立設され、
【００５２】
そして、第３の床下空間５２（ｃ）を、第３の居室空間４２（ｃ）、第４の床下空間５２（ｄ）および収納空間４２（ｄ）に対して区画する気密フィルム（第３の気密フィルム）１５３が第３の床下空間５２（ｃ）の端縁部に敷き詰められている。
【００５３】
気密フィルム１５３は、水平方向で第３の居室空間４２（ｃ）側に位置する端縁部が、床材７１の上面と仕切壁ＰＷの下端面との間に挟まれている。一方、気密フィルム１５３の水平方向で収納空間４２（ｄ）側に位置する端部が、第３の床下空間５２（ｃ）を形成する建物ユニットＵの床梁６２の上面および第４の床下空間５２（ｄ）側の側面の上部に接して敷き詰められている。
したがって、第３の床下空間５２（ｃ）の温調空気は、隣接する第４の床下空間５２（ｄ）および収納空間４２（ｄ）に漏れるのが気密フィルム１５３により抑制される。
【００５４】
（実施の形態１の効果）
以下に、本実施の形態１の建物構造の効果を列挙する。
１）実施の形態１の建物構造は、
２階以上の多層階の建物としてのユニット建物Ｈの上層階としての２階の床部２０と下層階としての１階の天井部５０との間に設けられ、２階の床上空間４２に対して閉じられ、放熱体１３１により暖房される２階の床下空間５２と、
床上空間４２の外周に立設され、内部に壁内空間７７ａを有する外壁ＷＬと、
床下空間５２と外壁ＷＬの壁内空間７７ａとを区画して床下空間５２の端縁部に敷き詰められた気密性を有したシート状の外壁気密フィルム１５１と、
を備え、
壁内空間７７ａは、床部２０の上面を形成する床材から立設された内壁材７５と、建物ユニットＵの外側に配置された外壁材７４と、の間に設けられ、
外壁気密フィルム１１５１は、水平方向で床上空間４２側に位置する端部が、床材７１と内壁材７５との間に挟まれ、水平方向で外部空間側に位置する端部が、床梁６２の上面に接して敷き詰められている建物構造とした。
したがって、床下空間５２の温調空気が、壁内空間７７ａおよび床上空間４２に漏れるのを抑制し、熱効率を向上できる。
【００５５】
２）実施の形態１の建物構造は、
２階以上の多層階の建物としてのユニット建物Ｈの上層階としての２階の床部２０と下層階としての１階の天井部５０との間に設けられ、２階の床上空間４２に対して閉じられ、放熱体１３１により暖房される２階の床下空間５２と、
床上空間４２の内部に立設され、内部に壁内空間７７ｂを有する内壁ＩＷと、
床下空間５２と内壁ＩＷの壁内空間７７ｂとを区画して床下空間５２の端縁部に敷き詰められた気密性を有したシート状の第２の気密フィルムと、
を備え、
床下空間５２が、上下に重なる２階の床梁６２と１階の天井梁６３とにより、水平方向に第１の床下空間５２（ａ）と第２の床下空間５２（ｂ）とに区画され、
第１の床下空間５２（ａ）と第２の床下空間５２（ｂ）とは、放熱体１３１により独立して暖房可能であり、
内壁ＩＷにより、２階の床上空間４２が、第１の床下空間５２（ａ）の上方に位置する第１の居室空間４２（ａ）と、第２の床下空間５２（ｂ）の上方に位置する第２の居室空間４２（ｂ）とに区画され、
内壁ＩＷの壁内空間７７ｂは、第１の居室空間４２（ａ）の床部２０を形成する第１の床材７１ａから立設された第１の内壁材７６ａと、第２の居室空間４２（ｂ）の床部２０を形成する第２の床材７１ｂから立設された第２の床材７１ｂと第２の内壁材７６ｂとの間に形成され、
第２の気密フィルムとして第１の床下空間５２（ａ）を、壁内空間７７ｂおよび第１の居室空間４２（ａ）に対して区画して第１の床下空間５２（ａ）の端縁部に敷き詰められた第１内壁気密フィルム１５２ａと、第２の床下空間５２（ｂ）を、壁内空間７７ｂおよび第２の居室空間４２（ｂ）に対して区画して第２の床下空間５２（ｂ）の端縁部に敷き詰められた第２内壁気密フィルム１５２ｂとを備える建物構造とした。
したがって、第１の床下空間５２（ａ）を暖房している場合に、その温調空気が壁内空間７７ｂおよび第１の居室空間４２（ａ）に漏れるのを抑制できる。
また、第２の床下空間５２（ｂ）を暖房している場合に、その温調空気が壁内空間７７ｂおよび第２の居室空間４２（ｂ）に漏れるのを抑制できる。
特に、第１の床下空間５２（ａ）と第２の床下空間５２（ｂ）とのいずれか一方を暖房している場合に、その温調空気が壁内空間７７ｂから、両居室空間４２（ａ），４２（ｂ）の暖房を行っていない方に漏れるのを抑制できる。
これにより、熱効率を向上できる。
【００５６】
３）実施の形態１の建物構造は、
壁内空間７７ａ，７７ｂに、断熱材８１ａ，８２ａが充填され、
各気密フィルム１５１，１５２ａ，１５２ｂは、断熱材８１ａ，８２ａと床梁６２の上面との間に挟まれて設置されている。
したがって、断熱材８１ａ，８２ａにより床上空間４２の熱が外部に伝達されたり、両居室空間４２（ａ），４２（ｂ）どうしで熱が伝達されたりするのを抑制できる。また、床下空間５２の温調空気が断熱材８１ａと床梁６２との間から外部に漏れたり、各床下空間５２（ａ），５２（ｂ）の温調空気が断熱材８２ａ，８２ａと床梁６２，６２との間から漏れたりするのを抑制できる。これにより、熱効率をさらに向上できる。
【００５７】
４）実施の形態１の建物構造は、
２階以上の多層階の建物としてのユニット建物Ｈの上層階としての２階の床部２０と下層階としての１階の天井部５０との間に設けられ、２階の床上空間４２に対して閉じられ、放熱体１３１により暖房される２階の床下空間５２と、
２階の床上空間４２を、暖房対象の第３の居室空間４２（ｃ）と非暖房対象の第４の床上空間としての収納空間４２（ｄ）とに区画する仕切壁ＰＷと、
を備え、
床下空間５２が、上下に重なる床梁６２と天井梁６３とにより、第３の床上空間４２（ｃ）の下方に位置して放熱体１３１が設置された第３の床下空間５２（ｃ）と収納空間４２（ｄ）の下方に配置されて放熱体１３１が非設置の第４の床下空間５２（ｄ）とに区画され、
第３の床下空間５２（ｃ）を、第３の床上空間４２（ｃ）、第４の床下空間５２（ｄ）および収納空間４２（ｄ）に対して区画する気密フィルム１５２が第３の床下空間５２（ｃ）の端縁部に敷き詰められている建物構造とした。
したがって、第３の床下空間５２（ｃ）の暖房時に、その温調空気が第３の居室空間４２（ｃ）、第４の床下空間５２（ｄ）および収納空間４２（ｄ）に漏れるのを抑制し、熱効率を向上できる。
【００５８】
５）実施の形態１の建物構造は、
建物としてのユニット建物Ｈは、４隅に立設された４本の柱６１と、これらの４本の柱６１の下端部どうしを結合した４本の床梁６２と、４本の柱６１の上端部どうしを結合した天井梁６３とにより、平面形状が方形状の骨組状の建物ユニットＵを結合して形成され、
２階の建物ユニットＵの床梁６２と、１階の建物ユニットＵの天井梁６３とが上下に重なって床下空間５２の水平方向の端部が形成されている。
したがって、ユニット建物Ｈの建物ユニットＵどうしの結合箇所において、床下空間５２どうし、あるいは、外部と区画された部位において、気密性を高めることができる。
【００５９】
６）実施の形態１の建物構造は、
第１内壁気密フィルム１５２ａは、水平方向で第１の居室空間４２（ａ）側に位置する端縁部が、第１の床材７１ａと第１の内壁材７６ａとの間に挟まれ、水平方向で壁内空間７７ｂ側に位置する端部が、第１の居室空間４２（ａ）を形成する建物ユニットＵの床梁６２の上面に接して敷き詰められ、
第２内壁気密フィルム１５２ｂは、水平方向で前記第２の居室空間４２（ｂ）側に位置する端縁部が、第２の床材７１ｂと第２の内壁材７６ｂとの間に挟まれ、水平方向で壁内空間７７ｂ側に位置する端部が、第２の居室空間４２（ｂ）を形成する建物ユニットＵの床梁６２の上面に接して敷き詰められている。
したがって、第１の床下空間５２（ａ）の温調空気が壁内空間７７ｂおよび第１の居室空間４２（ａ）に漏れるのを、より確実に抑制できる。
また、第２の床下空間５２（ｂ）の温調空気が壁内空間７７ｂおよび第２の居室空間４２（ｂ）に漏れるのをより確実に抑制できる。
【００６０】
７）実施の形態１の建物構造は、
仕切壁ＰＷは、第３の床下空間５２（ｃ）を形成する建物ユニットＵの床部２０の床材７１から立設され、
気密フィルム１５３は、水平方向で第３の居室空間４２（ｃ）側に位置する端縁部が、床材７１と仕切壁ＰＷとの間に挟まれ、水平方向で第４の床下空間５２（ｄ）側に位置する端部が、第３の床下空間５２（ｃ）を形成する建物ユニットＵの床梁６２の上面に接して敷き詰められている。
したがって、第３の床下空間５２（ｃ）の暖房時に、その温調空気が第３の居室空間４２（ｃ）、第４の床下空間５２（ｄ）および収納空間４２（ｄ）に漏れるのをより確実に抑制できる。
【００６１】
８）実施の形態１の建物Ｈは、
１）〜７）に記載の建物構造を備えているユニット建物Ｈとした。
したがって、上記１）〜７）に記載の効果を得ることができるユニット建物Ｈを提供することができる。
【００６２】
以上、図面を参照して、本発明の実施の形態を詳述してきたが、本発明の具体的な構成は、この実施の形態に限らず、本発明の要旨を逸脱しない程度の設計的変更は、本発明に含まれる。
【００６３】
例えば、実施の形態では、放熱体を設ける多層階床として、２階の床部を例示したが、放熱体は、３階以上の床部に設けてもよい。
また、実施の形態では、ユニット建物に適用した例を示したが、ユニット建物以外の建物にも適用可能である。さらに、実施の形態では、ユニット建物として３階建以上の建物を示したが、その階数はこれに限定されず、２階建の建物にも適用できる。
また、実施の形態では、暖房システムとして、いわゆるヒートポンプ式の暖房システムを示したが、これに限定されない。例えば、熱媒体の加熱を、電力や石油やプロパンガスを用いて行うものを適用してもよい。あるいは、放熱体として、通電することにより発熱するものを用いることもできる。
【符号の説明】
【００６４】
２０   ２階の床部
４２   ２階の床上空間
４２（ａ）    第１の居室空間（第１の床上空間）
４２（ｂ）    第２の居室空間（第２の床上空間）
４２（ｃ）    第３の居室空間（第３の床上空間）
４２（ｄ）    収納空間（第４の床上空間）
５０   １階の天井部
５２   ２階の床下空間
５２（ａ）    第１の床下空間
５２（ｂ）    第２の床下空間
５２（ｃ）    第３の床下空間
５２（ｄ）    第４の床下空間
７１   床材
７１ａ （第１の）床材
７１ｂ （第２の）床材
７４   外壁材
７５   内壁材
７６ａ （第１の）内壁材
７６ｂ （第２の）内壁材
７７ａ （外壁ＷＬの）壁内空間
７７ｂ （２階の内壁ＩＷの）壁内空間
７７ｃ （１階の内壁ＩＷの）壁内空間
８１ａ （外壁材の）断熱材
８１ｂ （外壁材の）断熱材
８１ｃ （床梁の）断熱材
８１ｄ （天井梁の）断熱材
８２ａ （内壁材の）断熱材
１５１ 外壁気密フィルム（第１の気密フィルム）
１５２ａ      第１内壁気密フィルム（第２の気密フィルム）
１５２ｂ      第２内壁気密フィルム（第２の気密フィルム）
１５３ 気密フィルム（第３の気密フィルム）
Ｈ     ユニット建物（建物）
ＩＷ   内壁
ＰＷ   仕切壁
Ｕ     建物ユニット
ＷＬ   外壁
【図１】
2019120038.tif 000003
【図２】
2019120038.tif 000004
【図３Ａ】
2019120038.tif 000005
【図３Ｂ】
2019120038.tif 000006
【図３Ｃ】
2019120038.tif 000007
【図４】
2019120038.tif 000008
【図５Ａ】
2019120038.tif 000009
【図５Ｂ】
2019120038.tif 000010
【図５Ｃ】
2019120038.tif 000011